(57)【要約】【課題】サードパーティ・サーバとライブビュー・サーバを含むシステムが開示される。【解決手段】ライブビュー・サーバは、サードパーティ・サーバから、各場所、建造物又は関心点のライブビューに対する要求を受信し、各場所、建造物又は関心点に位置する少なくとも１つの車両を識別し、少なくとも１つの識別された車両のライブビュー・カメラからそれぞれ要求されたライブビューを取得し、それぞれ要求されたライブビューに関連するダイナミックハイパーリンクをサードパーティ・サーバに送信する。サードパーティ・サーバは、特定の場所、建造物又は関心点のライブビューに対する要求を要求装置から受信し、特定の場所、建造物又は関心点と関連するライブビュー・データベースからの少なくとも１つのライブビューを識別し、少なくとも１つのライブビューをダイナミックハイパーリンクを介して要求装置に提供する。【選択図】図１
2020092421.tif 000002
【特許請求の範囲】
【請求項１】
ライブビュー・カメラを有する複数の車両により記録されるライブビューを要求装置に提供するためのシステムであって、
ライブビュー・データベースを含むサードパーティ・サーバと、
前記サードパーティ・サーバと通信的に接続されるライブビュー・サーバと、を含み、
前記ライブビュー・サーバは、ライブビュー・アプリケーションを含み、前記ライブビュー・アプリケーションは、前記ライブビュー・サーバにより、
前記サードパーティ・サーバから、複数の場所の各場所、複数の建造物の各建造物、又は複数の関心点の各関心点のライブビューに対する要求を受信し、
各場所、各建造物、又は各関心点に位置する複数の車両の少なくとも１つの車両を識別し、前記少なくとも１つの識別された車両のライブビュー・カメラは、それぞれ要求されたライブビューを記録し、
前記少なくとも１つの識別された車両の前記ライブビュー・カメラからそれぞれ要求されたライブビューを取得し、
前記ライブビュー・データベース内への保管のために、前記サードパーティ・サーバに、それぞれ要求されたライブビューに関連するダイナミックハイパーリンクを送信するように実行可能であり、
前記サードパーティ・サーバは、
要求装置から、特定の場所、特定の建造物、又は特定の関心点のライブビューに対する要求を受信し、
前記ライブビュー・データベースから、前記要求装置により要求される前記特定の場所、前記特定の建造物、又は前記特定の関心点と関連する少なくとも１つのライブビューを識別し、
前記ダイナミックハイパーリンクを介して、前記特定の場所、前記特定の建造物、又は前記特定の関心点と関連する前記少なくとも１つのライブビューを前記要求装置に提供する、システム。
【請求項２】
前記サードパーティ・サーバは複数のサードパーティ・サーバを含み、前記ライブビュー・サーバはリンクデータベースを含み、前記ライブビュー・アプリケーションは、前記ライブビュー・サーバにより、前記複数のサードパーティ・サーバのそれぞれに対する要求されたライブビューを前記リンクデータベース内で分離するよう更に実行可能である、請求項１に記載のシステム。
【請求項３】
前記ライブビュー・アプリケーションは、前記ライブビュー・サーバにより、
各場所、各建造物、又は各関心点に位置する複数の車両を識別し、前記複数の識別された車両のライブビュー・カメラは、それぞれ要求されたライブビューを記録し、
前記複数の識別された車両の各ライブビュー・カメラからそれぞれ要求されたライブビューを取得し、
前記ダイナミックハイパーリンクを介して前記サードパーティ・サーバに送信するための、前記複数の識別された車両の１つにより記録された、１つの要求されたライブビューを決定し、
前記ライブビュー・データベース内への保管のために、前記サードパーティ・サーバに、前記複数の識別された車両の１つにより記録された前記要求されたライブビューに関連する前記ダイナミックハイパーリンクを送信するよう更に実行可能である、請求項１に記載のシステム。
【請求項４】
前記ライブビュー・アプリケーションは、前記ライブビュー・サーバにより、オンデマンドで、前記複数の識別された車両の何れかの任意のライブビュー・カメラからライブビューを取得するよう更に実行可能である、請求項１〜３のいずれか一項に記載のシステム。
【請求項５】
前記特定の場所、前記特定の建造物、又は前記特定の関心点は、全地球測位システム（GPS）座標と関連し、
前記ライブビュー・アプリケーションは、前記ライブビュー・サーバにより、
前記複数の車両のそれぞれと関連するGPS受信器により提供される位置情報に基づいて、各場所、各建造物、又は各関心点に位置する前記複数の車両の前記少なくとも１つの車両を識別し、
前記位置情報を前記ダイナミックハイパーリンクに関連付けるよう更に実行可能であり、
前記サードパーティ・サーバは、前記ダイナミックハイパーリンクと関連する前記位置情報、及び前記ライブビューの要求と関連する前記GPS座標に基づいて、前記要求装置により要求される前記特定の場所、前記特定の建造物、又は前記特定の関心点と関連する前記少なくとも１つのライブビューを更に識別する、請求項１〜３のいずれか一項に記載のシステム。
【請求項６】
前記ライブビュー・アプリケーションは、前記ライブビュー・サーバにより、各ダイナミックハイパーリンクと関連するライブビューを更新するよう更に実行可能である、請求項１〜３のいずれか一項に記載のシステム。
【請求項７】
ライブビュー・カメラを有する複数の車両により記録されるライブビューを要求装置に提供するためのコンピュータに搭載の方法であって、
サードパーティ・サーバと通信的に接続されるライブビュー・サーバが、前記サードパーティ・サーバから、複数の場所の各場所、複数の建造物の各建造物、又は複数の関心点の各関心点のライブビューに対する要求を受信するステップと、
前記ライブビュー・サーバが、各場所、各建造物、又は各関心点に位置する複数の車両の少なくとも１つの車両を識別するステップであって、前記少なくとも１つの識別された車両のライブビュー・カメラは、それぞれ要求されたライブビューを記録する、ステップと、
前記ライブビュー・サーバが、前記少なくとも１つの識別された車両の前記ライブビュー・カメラからそれぞれ要求されたライブビューを取得するステップと、
前記ライブビュー・サーバが、前記サードパーティ・サーバのライブビュー・データベース内への保管のために、前記サードパーティ・サーバに、それぞれ要求されたライブビューに関連するダイナミックハイパーリンクを送信するステップと、
前記サードパーティ・サーバが、要求装置から、特定の場所、特定の建造物、又は特定の関心点のライブビューに対する要求を受信するステップと、
前記サードパーティ・サーバが、前記要求装置により要求される前記特定の場所、前記特定の建造物、又は前記特定の関心点と関連する少なくとも１つのライブビューを、前記ライブビュー・データベースから識別するステップと、
前記サードパーティ・サーバが、前記ダイナミックハイパーリンクを介して、前記特定の場所、前記特定の建造物、又は前記特定の関心点と関連する前記少なくとも１つのライブビューを前記要求装置に提供するステップと、
を含む、コンピュータ搭載の方法。
【請求項８】
前記ライブビュー・サーバが、各場所、各建造物、又は各関心点に位置する複数の車両を識別するステップであって、前記複数の識別された車両のライブビュー・カメラは、それぞれ要求されたライブビューを記録する、ステップと、
前記ライブビュー・サーバが、前記複数の識別された車両の各ライブビュー・カメラからそれぞれ要求されたライブビューを取得するステップと、
前記ライブビュー・サーバが、前記ダイナミックハイパーリンクを介して前記サードパーティ・サーバに送信するための、前記複数の識別された車両の１つにより記録された、１つの要求されたライブビューを決定するステップと、
前記ライブビュー・サーバが、前記ライブビュー・データベース内への保管のために、前記サードパーティ・サーバに、前記複数の識別された車両の１つにより記録された前記要求されたライブビューに関連する前記ダイナミックハイパーリンクを送信するステップと、
を更に含む、請求項７に記載のコンピュータ搭載の方法。
【請求項９】
前記ライブビュー・サーバが、前記ライブビュー・サーバと前記複数の識別された車両との間のネットワーク接続速度に基づいて、前記ダイナミックハイパーリンクを介して、前記サードパーティ・サーバに送信するための前記要求されたライブビューを決定するステップを更に含む、請求項８に記載のコンピュータ搭載の方法。
【請求項１０】
前記ライブビュー・サーバが、前記複数の識別された車両の各ライブビュー・カメラから取得されたそれぞれ要求されたライブビューに関連する品質メトリックに基づいて、前記ダイナミックハイパーリンクを介して、前記サードパーティ・サーバに送信するための前記要求されたライブビューを決定するステップを更に含む、請求項８に記載のコンピュータ搭載の方法。
【発明の詳細な説明】
【技術分野】
【０００１】
本開示は、一般的に、要求装置にライブカメラビューを提供するためのシステム及び／又は方法に関する。
【背景技術】
【０００２】
地図（例えば、Google MapsSM及びGoogle EarthSMのSTREET VIEW(R)、及び／又は同様のもの）及びナビゲーションシステム（例えば、GarminTM、TOMTOM(R)、車両搭載ナビゲーションシステム、及び／又は同様のもの）を提供するサービスプロバイダーは、特定の場所に対する最新の、及び連続して継続中の変化を反映する画像を提供していない。例えば、Google STREET VIEW(R)は、ユーザの要求に応答して、特定の場所の静止画像を表示するのみである。特に、その静止画像は、大抵は古く、その特定の場所における現在ビューの真の表示を反映できない。これは、特定の場所、特定の建造物、又は特定の関心点（point of interest）におけるライブ状態を見ることを望んでいるユーザにとって、しばしば欲求不満となる。
【発明の概要】
【発明が解決しようとする課題】
【０００３】
１つの実施例において、ライブビュー・カメラを有する複数の車両により記録される（captured）ライブビューを要求装置に提供するためのシステムは、ライブビュー・データベースを含むサードパーティ・サーバ、及びサードパーティ・サーバと通信的に接続されるライブビュー・サーバを含む。そのような実施例において、ライブビュー・サーバはライブビュー・アプリケーションを含み、ライブビュー・アプリケーションは、ライブビュー・サーバにより、ｉ）サードパーティ・サーバから、複数の場所の各場所、複数の建造物の各建造物、又は複数の関心点の各関心点のライブビューに対する要求を受信し、ｉｉ）各場所、各建造物、又は各関心点に位置する複数の車両の少なくとも１つの車両を識別し、少なくとも１つの識別された車両のライブビュー・カメラは、それぞれ要求されたライブビューを記録し、ｉｉｉ）少なくとも１つの識別された車両のライブビュー・カメラからそれぞれ要求されたライブビューを取得し、及びｉｖ）ライブビュー・データベース内への保管のために、サードパーティ・サーバに、それぞれ要求されたライブビューに関連するダイナミックハイパーリンクを送信するように実行可能である。更に、そのような実施例において、サードパーティ・サーバは、ｉ）要求装置から、特定の場所、特定の建造物、又は特定の関心点のライブビューに対する要求を受信し、ｉｉ）ライブビュー・データベースから、要求装置により要求される特定の場所、特定の建造物、又は特定の関心点と関連する少なくとも１つのライブビューを識別し、及びｉｉｉ）ダイナミックハイパーリンクを介して、特定の場所、特定の建造物、又は特定の関心点と関連する少なくとも１つのライブビューを要求装置に提供する。
【課題を解決するための手段】
【０００４】
その他の実施例において、ライブビュー・カメラを有する複数の車両により記録されるライブビューを要求装置に提供するためのコンピュータ搭載の方法は、ｉ）サードパーティ・サーバと通信的に接続されるライブビュー・サーバが、サードパーティ・サーバから、複数の場所の各場所、複数の建造物の各建造物、又は複数の関心点の各関心点のライブビューに対する要求を受信するステップ、ｉｉ）ライブビュー・サーバが、各場所、各建造物、又は各関心点に位置する複数の車両の少なくとも１つの車両を識別するステップであって、少なくとも１つの識別された車両のライブビュー・カメラは、それぞれ要求されたライブビューを記録する、ステップ、ｉｉｉ）ライブビュー・サーバが、少なくとも１つの識別された車両のライブビュー・カメラからそれぞれ要求されたライブビューを取得するステップ、ｉｖ）ライブビュー・サーバが、サードパーティ・サーバのライブビュー・データベース内への保管のために、サードパーティ・サーバに、それぞれ要求されたライブビューに関連するダイナミックハイパーリンクを送信するステップ、ｖ）サードパーティ・サーバが、要求装置から、特定の場所、特定の建造物、又は特定の関心点のライブビューに対する要求を受信するステップ、ｖｉ）サードパーティ・サーバが、ライブビュー・データベースから、要求装置により要求される特定の場所、特定の建造物、又は特定の関心点と関連する少なくとも１つのライブビューを識別するステップ、及びｖｉｉ）サードパーティ・サーバが、ダイナミックハイパーリンクを介して、特定の場所、特定の建造物、又は特定の関心点と関連する少なくとも１つのライブビューを要求装置に提供するステップを含む。
【０００５】
更なるその他の実施例において、ライブビュー・カメラを有する複数の車両により記録されるライブビューを要求装置に提供するためのシステムは、ライブビュー・データベースと通信的に接続される第１処理装置、及び第１処理装置と通信的に接続される第２処理装置を含む。そのような実施例において、第２処理装置は、実行時に、ｉ）第１処理装置から、複数の場所の各場所、複数の建造物の各建造物、又は複数の関心点の各関心点のライブビューに対する要求を受信し、ｉｉ）各場所、各建造物、又は各関心点に位置する複数の車両の少なくとも１つの車両を識別し、少なくとも１つの識別された車両のライブビュー・カメラは、それぞれ要求されたライブビューを記録し、ｉｉｉ）少なくとも１つの識別された車両のライブビュー・カメラからそれぞれ要求されたライブビューを取得し、及びｉｖ）ライブビュー・データベース内への保管のために、第１処理装置に、それぞれ要求されたライブビューに関連するダイナミックハイパーリンクを送信することを第２処理装置にさせるプログラミング命令を含む非一時的プロセッサ読み取り可能記憶媒体を含む。更に、そのような実施例において、第１処理装置は、実行時に、ｉ）要求装置から、特定の場所、特定の建造物、又は特定の関心点のライブビューに対する要求を受信し、ｉｉ）ライブビュー・データベースから、要求装置により要求される特定の場所、特定の建造物、又は特定の関心点と関連する少なくとも１つのライブビューを識別し、及びｉｉｉ）ダイナミックハイパーリンクを介して、特定の場所、特定の建造物、又は特定の関心点と関連する少なくとも１つのライブビューを要求装置に提供することを第１処理装置にさせるプログラミング命令を含む非一時的プロセッサ読み取り可能記憶媒体を含む。
【０００６】
ここに記載される実施例により提供されるこれら及び更なる特徴は、図面と併せて、以下の詳細な説明を考慮して、より完全に理解されるであろう。
【０００７】
図面において説明される実施例は、実質的に理解を助けるものであり、請求項により定義される事項を制限することを意図するものではない。実例的な実施例の以下の詳細な説明は、以下の図面と併せて読むときに理解でき、ここで、同様の構成は同様の参照番号で示される。
【図面の簡単な説明】
【０００８】
【図１】ここに示され、記載される１以上の実施例による、ライブビュー・カメラを有する複数の車両により記録されるライブビューを要求装置に提供するための実例的なシステムを示す。
【図２】ここに示され、記載される１以上の実施例による、複数のデータ検出装置と接続される実例的な車両コンピュータのブロック図を示し、車両コンピュータは記録されたデータを受信したライブビューに関連付けるように構成される。
【図３】ここに示され、記載される１以上の実施例による、実例的なライブビュー・インタフェースを示す。
【図４】ここに示され、記載される１以上の実施例による、ライブビュー・サーバによるライブビューを追跡又は監視するための実例的なプロセスのフロー図を示す。
【図５】ここに示され、記載される１以上の実施例による、サードパーティ・サービスプロバイダー・サーバによるライブビューを提供するための実例的なプロセスのフロー図を示す。
【発明を実施するための形態】
【０００９】
本開示は、サービス受領者（recipients）の利便性と体感（experience）を改善するために、サードパーティ・サービスプロバイダー（例えば、商業地図サービスプロバイダー、ナビゲーションシステム・サービスプロバイダー、及び／又は同様のもの）によりサービス受領者に以前に提供された（例えば、要求装置を介して）地図及び／又は情報を補足又は置換するように、場所、建造物、及び／又は関心点のライブビューをサードパーティ・サービスプロバイダーに提供するシステム及び方法に関連する。例えば、本開示の様々な実施例によれば、サードパーティ・サービスプロバイダー（例えば、地図プロバイダー、ナビゲーションシステム・プロバイダー、及び／又は同様のもの）は、サービス受領者により要求される特定の場所、特定の建造物、及び／又は特定の関心点の１又は複数のリアルタイムのライブビューを用いて、そのサービス（例えば、地図サービス、ナビゲーションサービス、及び／又は同様のもの）を補足又は置換することができる。
【００１０】
ここで図面を参照すると、図１は、サードパーティ・サービスプロバイダー・サーバ102及びライブビュー・サーバ104を含むライブビュー・システム100を示す。そのような態様によれば、サードパーティ・サービスプロバイダー・サーバ102は、通信ネットワーク106を介して、ライブビュー・サーバ104に通信的に接続される。様々な態様によれば、サードパーティ・サービスプロバイダー・サーバ102は、各種タイプのコンピュータ装置とすることができる。その他の態様によれば、サードパーティ・サービスプロバイダー・サーバ102は、ここに記載されるような特定の機能を実行するために特別にプログラムされた特定の機械である。１つの態様によれば、サードパーティ・サービスプロバイダー・サーバ102は、複数のコンピュータ装置を含むことができる。代わりの態様によれば、サードパーティ・サービスプロバイダー・サーバ102は、クラウドサーバを含むことができる。特に、ここに記載される実施例によれば、サードパーティ・サービスプロバイダー・サーバ102は、プロセッサ（例えば、中央処理装置）、メモリ（例えば、RAM、記憶媒体、及び／又は同様のもの）、及びメモリ内のデータにアクセスし、及び／又はデータを格納するためのバスを含む。メモリは、プロセッサによる実行時に、ここに記載されるようなライブビューにアクセスし、送信することをプロセッサに許可する１以上の実行可能なプログラムを格納するよう更に構成される。同様に、様々な態様によれば、ライブビュー・サーバ104は、各種タイプのコンピュータ装置とすることができる。その他の態様によれば、ライブビュー・サーバ104は、ここに記載されるような特定の機能を実行するために特別にプログラムされた特定の機械である。１つの態様によれば、ライブビュー・サーバ104は、複数のコンピュータ装置を含むことができる。代わりの態様によれば、ライブビュー・サーバ104は、クラウドサーバを含むことができる。特に、ここに記載される実施例によれば、ライブビュー・サーバ104は、プロセッサ（例えば、中央処理装置）、メモリ（例えば、RAM、記憶媒体、及び／又は同様のもの）、及びメモリ内のデータにアクセスし、及び／又はデータを格納するためのバスを含む。メモリは、プロセッサによる実行時に、ここに記載されるようなライブビューを処理し、送信することをプロセッサに許可する１以上の実行可能なプログラムを格納するよう更に構成される。
【００１１】
ここに記載される様々な態様によれば、ライブビュー・サーバ104は、車両108a〜108n（例えば、点線により示される１又は複数の車両）に位置する１以上のカメラ110a〜110eにより記録されるライブビューを取得する。様々な態様によれば、カメラ110aは車両の前面に置くことができ、カメラ110bは車両の１以上の側面に置くことができ、カメラ110cは車両の後方に置くことができ、カメラ110dは車両の室内から外部に向けて（例えば、フロントガラス、リアウィンドウ、ドアウィンドウ、ピラー（pillar）ウィンドウ、及び／又は同様のものを通して）置くことができ、及び／又はカメラ110eは車両の外部表面（例えば、ルーフ面、ボンネット（hood）面、トランク面、及び／又は同様のもの）上に置くことができる。様々な態様によれば、１以上のカメラ110a〜110eのいずれかは、ライブビデオを記録するよう構成できる。代わりの態様において、１以上のカメラ110a〜110eは、ライブビデオ及び／又は静止画を記録するよう構成できる。様々な態様によれば、１以上のカメラ110a〜110eのいずれかは、パノラマカメラを含むことができる。更なる態様によれば、１台のカメラ（例えば、110b、110d及び／又は同様のもの）は、後ろ向きカメラ又は前向きカメラとすることができる。その他の態様によれば、カメラ、例えば110e、は、光画像検出と測距（LIDAR）システム（例えば、奥行き情報を供給するため）を含むことができる。更なる態様によれば、１以上のカメラ110a〜110eのそれぞれのカメラは、ライブビューを能動的に記録し、ライブビューをライブビュー・サーバ104に自動的に送信できる（例えば、プッシュ様式）。その他の態様によれば、１以上のカメラ110a〜110eのそれぞれのカメラは、要求があるとライブビューをライブビュー・サーバ104に送信するだけである（例えば、プル様式）。
【００１２】
再び図１を参照すると、それぞれの車両108a〜108n上のコンピュータ112は、１以上のカメラ110a〜110eからそれぞれのライブビューを受信し、無線通信システム114及び／又は115を介して、ライブビューをライブビュー・サーバ104に送信するよう構成できる。そのような態様において、コンピュータ112は、車両108a〜108nに設置され、及び／又は関連する各種タイプのコンピュータ装置とすることができる。その他の態様によれば、コンピュータ112は、ここに記載されるような特定の機能を実行するために特別にプログラムされた特定の機械である。１つの態様によれば、コンピュータ112は、複数のコンピュータ装置を含むことができる。特に、ここに記載される実施例によれば、コンピュータ112は、プロセッサ（例えば、中央処理装置）、メモリ（例えば、RAM、記憶媒体、及び／又は同様のもの）、及びメモリ内のデータ（例えば、ライブビュー）にアクセスし、及び／又はデータを格納するためのバスを含む。メモリは、プロセッサによる実行時に、ここに記載されるようなライブビューを受信し、送信することをプロセッサに許可する１以上の実行可能なプログラムを格納するよう更に構成される。
【００１３】
図１及び２を参照すると、様々な態様によれば、それぞれの車両108a〜108nのコンピュータ112は、データ（例えば、ライブビュー・データ）を送信し、受信するための適切なハードウェア及びソフトウェアを備える無線テレマティック（telematic）通信ユニット116と通信的に接続される。図２を考慮すると、無線テレマティック通信ユニットは、車両内セルラー電話212、全地球測位システム（GPS）装置202、搭載車両通信ユニット（VCU）214、及び／又は同様のものを含むことができる。様々な態様によれば、それぞれの無線テレマティック通信ユニット116は、無線キャリアシステム118及び／又は142（例えば、セルラー電話ネットワーク、衛星通信システム、及び／又は同様のもの）に通信的に接続できる。そのような態様によれば、それぞれの無線テレマティック通信ユニット116は、それぞれの車両108a〜108nに近いと決定された基地局120又は144（例えば、無線キャリアシステムのノード）を介して、それぞれ無線キャリアシステム118又は142と通信を開始できる。更にそのような態様において、無線通信リンクが、無線テレマティック通信ユニット116と基地局120又は144との間で一旦確立されると、基地局120又は144は、無線テレマティック通信ユニット116を介して、コンピュータ112から受信されたデータ（例えば、ライブビュー・データ）をライブビュー・サーバ104に中継するために、それぞれ無線キャリアシステム118又は142に通信的に接続される少なくとも１つの通信ネットワーク（例えば、通信ネットワーク106）を利用するよう構成される。様々な態様によれば、通信ネットワーク106は、ワイドエリアネットワーク（WAN）、インターネット、Wi-Fiネットワーク、及び／又は同様のものを含むことができる。
【００１４】
再び図１を参照すると、本開示の様々な態様によれば、ライブビューは、車両対車両（V2V）通信150を介して取得できる。そのような態様によれば、第１の車両（例えば、108n）は、ライブビュー・サーバ104と通信リンクを確立できないかもしれないが（例えば、第１の車両はライブビュー・サーバ104と通信的に接続されない）、第２の車両（例えば、108a）と通信リンクを確立できるかもしれない。そのような態様によれば、第１の車両（例えば、108n）は、第１の車両（例えば、108n）と第２の車両（例えば、108a）との間のV2V通信リンク150を介して、ライブビュー・サーバ104にライブビューを送信し、及び／又はライブビュー・サーバ104にライブビューを要求する（例えば、ここに記載されるインタフェースを用いて）ことができる。代わりの態様において、第１の車両（例えば、108n）は、ライブビュー・サーバ104を含まないV2V通信リンク150を介して、第２の車両（例えば、108a）にライブビューを送信し、及び／又は第２の車両（例えば、108a）にライブビューを要求する（例えば、ここに記載されるインタフェースを用いて）ことができる。そのような態様において、ここに記載されるものと同様に、特定の場所、特定の建造物、及び／又は特定の関心点のライブビューに対する要求が行われ、特定の場所に近接したV2V通信が可能な車両が識別され、識別された車両は特定の場所、特定の建造物、及び／又は特定の関心点のライブビューを含む画像データを要求車両に提供できる。代わりの態様によれば、車両108a〜108n（例えば、参加車両）の何れかは、特定の場所、特定の建造物、及び／又は特定の関心点の最新のライブビューとして、ライブビューを定期的に送信できる。更なる態様によれば、要求装置からの要求に関連する時間は、ライブビューが取得される方法に影響を与える可能性がある。例えば、ライブビュー・サーバ104が、要求された時間において、そのダイナミックハイパーリンクと現在リンクされている参加第１車両（例えば、108a）は、もはや要求された場所、建造物、及び／又は関心点の近接にいないことを決定し、ライブビュー・サーバ104が、要求された時間において、要求された場所、建造物、及び／又は関心点において、その他の参加車両を位置付けることができない場合、ライブビュー・サーバ104は、その他の車両（例えば、108n）との間の参加車両（例えば、108a）のV2V通信リンクを介して、ライブビュー画像を取得しようと試行できる。そのような態様によれば、ライブビュー・サーバ104は、複数の通信チャネル／リンクに従い、要求されたライブビューを取得するようにプログラムされ、及び／又は構成できる。
【００１５】
特に、図２を参照すると、車両（例えば、車両108a）上のコンピュータ112は、記録されたデータを１以上のカメラ110a〜110eから受信されるライブビューと関連付けるように構成できる。１つの態様によれば、記録されたデータは、車両108aの地球物理学的な場所（GPS座標）及びGPS装置202から受信される時にその地球物理学的な場所と同期した時間を含むことができる。その他の態様によれば、記録されたデータは、車両に関連したパラメータを感知するよう構成された１以上のセンサから受信されるセンサデータを含むことができる。センサデータの例は、加速度計204により検出される車両加速度データ、速度センサ206により検出される車両速度データ、温度センサ208により車両の地球物理学的な場所において検出される周囲温度及び／又は天気データ、及び／又は同様のものを含む。そのような態様によれば、コンピュータ112は、ライブビュー・サーバ104と接続されたリンクデータベース136（図１を参照）内の情報の更新において、それぞれのライブビューと関連するそのような記録されたデータをライブビュー・サーバ104に送信する（例えば、無線テレマティック通信ユニット116を介して）よう更に構成される。
【００１６】
再び図２を参照すると、ここに記載される様々な実施例によれば、車両108a上のコンピュータ112は、ライブビュー・インタフェース210に接続できる（例えば、車両108a内部で）。そのような態様において、ライブビュー・インタフェース210は、ここに記載される様なライブビュー・サーバ104又はサードパーティ・サービスプロバイダー・サーバ102の少なくとも１つから受信されるデータ（例えば、ライブビュー）を表示するよう構成される。様々な態様によれば、ライブビュー・インタフェース210は、ここに記載されるような特定の場所、特定の建造物、及び／又は特定の関心点と関連する特定のライブビューに対する車両操作者からの要求を受信するよう更に構成される。
【００１７】
ここで図３を参照すると、様々な実施例によれば、ライブビュー・インタフェース210は、商業地図サービスプロバイダーにより提供される地図、及び／又はナビゲーションシステム・サービスプロバイダーにより提供されるナビゲーションインタフェースを表示するよう更に構成される。ここで、代わりの態様によれば、そのようなインタフェースは、車両ライブビュー・インタフェース210、及び、モバイル電話インタフェース146（例えば、図１）及び／又はパーソナルコンピュータ・インタフェース148（例えば、図１）などのその他インタフェース、及び／又は同様のものを含む複数の装置上に表示できる。しかし、特に、本開示の様々な態様によれば、ライブビュー・インタフェース210は、特定の場所、特定の建造物、及び／又は特定の関心点と関連する利用可能なライブビューをアイコンと関連付けるよう構成される。例えば、ライブビュー・アイコン302及びライブビュー・アイコン304は、駐車場（parking deck）322のライブビュー（例えば、特定の建造物、特定の建造物内のライブビュー、店が開いているか閉まっているかを示すビュー、及び／又は同様のもの）が利用可能であることを示す。その他の例として、ライブビュー・アイコン306及びライブビュー・アイコン308は、特定の旗の付いた場所／住所310及び312（例えば、特定の場所、旗の付いた交差点での事故現場、及び／又は同様のもの）それぞれのライブビューが利用可能であることを示す。更なるその他の例として、ライブビュー・アイコン320は、公園内の湖パビリオン314（例えば、特定の関心点）のライブビューが利用可能であることを示す。ライブビュー・アイコン316及びライブビュー・アイコン318は、公園内の異なる／代わりの場所324及び326（例えば、関心点の近辺）それぞれにおける更なるライブビューが利用可能であることを示す。
【００１８】
ここまで記載のように、システムは、複数の車両108a〜108nと関連するライブカメラビューをライブビュー・サーバ104に提供することを可能にする。上記のように、この点において、サービス受領者の利便性と体感を改善するために、サードパーティ・サービスプロバイダーによりサービス受領者に以前に提供された（例えば、要求装置を介して）地図及び／又は情報を補足又は置換するためにそのようなライブビューにアクセスすることが、サードパーティ・サービスプロバイダーに対する本開示の目的である。従って、図１に示されるように、サードパーティ・サービスプロバイダー・サーバ102は、ライブビュー・サーバ104により取得されるような、そのようなライブビューをそのサービス受領者に提供するために、通信ネットワーク106を介して、ライブビュー・サーバ104に通信的に接続される。しかし、特に、特定の場所、特定の建造物、及び／又は特定の関心点のライブビューの本来の特徴は、それが常に変化していることである（例えば、時間経過、車両が移動するときに特定の場所、特定の建造物、及び／又は特定の関心点の現在のライブビューを記録するために異なる車両を利用しなければならない、及び／又はそれと同様のもの）。このため、サードパーティ・サービスプロバイダー・サーバ102において、記録されたライブビューをライブビュー・サーバ104からそのライブビュー・データベース122に単にダウンロードし、要請に応じて、そのようなダウンロードされたライブビューをそのサービス受領者に送信することは十分ではないだろう（例えば、古いライブビューを回避するために、ダウンロードは定期的でなければならない）。更に、全ての時間において、全ての場所、全ての建造物、及び／又は全ての関心点に対する全ての参加車両108a〜108nの全てのライブビューを記録することは、ライブビュー・サーバ104の重荷であり、及び／又は実現困難となるであろう。これら及びその他の問題点は、ここに記載されるようなシステムにより解消される。
【００１９】
初めに、図４に示されるように、ライブビュー・サーバ104により監視及び／又は追跡されるライブビューを制限するため、ライブビュー・サーバ104は、サードパーティ・サービスプロバイダー・サーバ102から、複数の場所の各場所、複数の建造物の各建造物、及び／又は複数の関心点の各関心点のライブビューに対する要求を受信するようにプログラムされ、及び／又は設定できる（ブロック402において）。このため、ライブビュー・サーバ104は、限定数の場所、建造物、及び／又は関心点を監視する、及び／又は追跡する役割を担う。特に、代わりの態様によれば、ライブビュー・サーバ104が複数の異なるサードパーティ・サービスプロバイダー・サーバに通信的に接続される場合、ライブビュー・サーバ104は、それぞれのサードパーティ・サービスプロバイダー・サーバに対する限定数の場所、建造物、及び／又は関心点を監視する、及び／又は追跡する役割をさらに担う。そのような態様によれば、ライブビュー・サーバ104は、そのリンクデータベース136内で、監視及び／又は追跡されているライブビューをそれぞれのサードパーティ・サービスプロバイダーに対して分離するようプログラムされ、及び／又は設定できる（ブロック404において、選択／代替のステップとして細線（phantom）で示される）。
【００２０】
様々な記載される態様によれば、限定数の場所、建造物、及び／又は関心点を仮定すると、ライブビュー・サーバ104は、各場所、各建造物、又は各関心点に位置する複数の参加車両の少なくとも１つの参加車両を識別し（ブロック406において）、少なくとも１つの識別された車両のライブビュー・カメラからのそれぞれ要求されたライブビューを取得する（ブロック408において、例えば、ここに記載されるように）ようにプログラムされ、及び／又は設定できる。様々な態様によれば、ライブビュー・サーバ104は、その関連するリンクデータベース136（図１を参照）内にライブビューの一部（ブロック410において、例えば、１分より短いビデオ、５分より短いビデオ、保管（storage）の制約に基づいて可能な任意の長さのビデオ、及び／又は同様のもの）を格納するようにプログラムされ、及び／又は設定できる。更なる態様によれば、ライブビュー・サーバ104は、何れかの格納された部分（例えば、開始時間及び／又は終了時間）、及び／又は何れかのライブビュー（例えば、開始時間）とタイムスタンプ（例えば、日付及び／又は時間）を関連付けるようにプログラムされ、及び／又は設定できる。そのような情報は、監視される／追跡される場所、建造物、及び／又は関心点と関連して、リンクデータベース136内に格納できる。
【００２１】
図１を考慮して、再び図４を参照すると、ライブビュー・データベース122における古いライブビュー（例えば、時間の経過のために特定の場所、特定の建造物、又は特定の関心点の真のライブビューをもはや反映していないカメラビュー、及び／又は同様のもの）の保管を回避するため、ライブビュー・サーバ104は、それぞれのダイナミックハイパーリンクが要求されるライブビューと関連する、複数のダイナミックハイパーリンクをサードパーティ・サービスプロバイダー・サーバ102に送信するようにプログラムされ、及び／又は設定できる（ブロック412において）。例えば、図１を考慮すると、ダイナミックハイパーリンク124（例えば、「LINK A」）は、要求された場所126（例えば、「LOC A」）のライブビューと関連付けられ、ダイナミックハイパーリンク128（例えば、「LINK B」）は、要求された建造物130（例えば、「STR B」）のライブビューと関連付けられ、及びダイナミックハイパーリンク132（例えば、「LINK C」）は、それぞれ要求された関心点134（例えば、「POI C」）のライブビューと関連付けられる。そのような態様によれば、サードパーティ・サービスプロバイダー・サーバ102は、その関連するライブビュー・データベース122内に複数のダイナミックハイパーリンク（例えば、ダイナミックハイパーリンク124、128及び132）を格納するようにプログラムされ、及び／又は設定される。
【００２２】
再び図４を参照すると、ここに記載される様々な態様によれば、ライブビュー・サーバ104は、少なくとも１つの参加車両及び複数の参加車両の移動を監視するようにプログラムされ、及び／又は設定できる（ブロック414において、例えば、GPS座標を介して）。例えば、少なくとも１つの参加車両が、各場所、各建造物、及び／又は各関心点から所定のしきい値距離より大きく離れて（例えば、特定の場所、特定の建造物、及び／又は特定の関心点のライブビューがもはや実行可能でない又は可視でない距離）移動した場合、ライブビュー・サーバ104は、各場所、各建造物、又は各関心点に位置する複数の参加車両の少なくとも１つの参加車両を再び識別するようにプログラムされ、及び／又は設定できる（ブロック418において、例えば、複数の参加車両のその他が特定の場所、特定の建造物、及び／又は特定の関心点により近いライブビューを提供できるかも知れない）。参加車両が利用可能でない状況において、ライブビュー・サーバ104は、特定の場所、特定の建造物、及び／又は特定の関心点に対して格納された（例えば、リンクデータベース136内）最新のビュー（例えば、ビデオ）を識別するようにプログラムされ、及び／又は設定できる（ブロック416において）。どちらの場合においても、新たな参加車両の識別、及び／又は最新のビュー（例えば、ビデオ）の識別がなされると、ライブビュー・サーバ104は、サードパーティ・サービスプロバイダー・サーバ102に以前に提供されたダイナミックハイパーリンクと関連するライブビューを更新するようにプログラムされ、及び／又は設定できる（ブロック420において）。図１を考慮して、様々な態様によれば、ライブビュー・サーバ104と関連するリンクデータベース136は、車両（車両108a〜108nの「車両Ａ」、「車両Ｂ」及び「車両Ｃ」）から受信される常時更新されるライブビュー、及び／又はライブビュー・サーバ104により監視／追跡されている各特定の場所、各特定の建造物及び／又は各特定の関心点と関連する最新の格納されたビューと関連するダイナミックハイパーリンク（例えば、サードパーティ・サービスプロバイダー・サーバ102に提供される）を格納するよう構成できる。
【００２３】
続いて、図５は、様々な態様により、サードパーティ・サービスプロバイダー・サーバ102によるライブビューを提供するためのプロセスを示す。最初に、サードパーティ・サービスプロバイダー・サーバ102は、ライブビュー・サーバ104から受信されるダイナミックハイパーリンク（図１参照、例えば、ダイナミックハイパーリンク124、128及び132）をその関連するライブビュー・データベース122内に格納するようにプログラムされ、及び／又は設定できる（ブロック502において）。特に、各ダイナミックハイパーリンクは、サードパーティ・サービスプロバイダー・サーバ102がライブビュー・サーバ104に監視／追跡することを要求している特定の場所（例えば、「LOC A」）、特定の建造物（例えば、「STR B」）、及び／又は特定の関心点（例えば、「POI C」）と関連付けできる。続いて、様々な態様によれば、サードパーティ・サービスプロバイダー・サーバ102は、特定の場所、特定の建造物、又は特定の関心点のライブビューに対する要求を要求装置から受信するようにプログラムされ、及び／又は設定できる（ブロック504において）。ここで、図１を考慮して、様々な態様によれば、要求装置は車両108a〜108nを含むことができる。ここで、上記と同様に、車両108a〜108nは、基地局120又は144のそれぞれを介して無線キャリアシステム118又は142と通信的に接続される無線テレマティック通信ユニット116（図２参照）を介して、サードパーティ・サービスプロバイダー・サーバ102と通信できる。基地局120又は144は、コンピュータ112から受信されたデータ（例えば、車両108a〜108nからのライブビューに対する要求）をサードパーティ・サービスプロバイダー・サーバ102に無線テレマティック通信ユニット116を介して中継するために、無線キャリアシステム118又は142と通信的に接続される少なくとも１つの通信ネットワーク（例えば、通信ネットワーク106）を利用するよう構成される。再び、様々な態様によれば、通信ネットワーク106は、広域エリアネットワーク（WAN）、インターネット、Wi-Fiネットワーク、及び／又は同様のものを含むことができる。
【００２４】
更なる態様によれば、図１を考慮して、要求装置は、モバイル電話138（例えば、車両108a〜108nと関連しない）及び／又はコンピュータ140（例えば、パーソナルコンピュータ、及び／又は同様のもの）を含むことができる。モバイル電話138に関して、モバイル電話138は、上記のように、基地局144、無線キャリアシステム142及び通信ネットワーク106を介してサードパーティ・サービスプロバイダー・サーバ102と通信できる。コンピュータ140に関して、コンピュータ140は、通信ネットワーク106を介してサードパーティ・サービスプロバイダー・サーバ102と通信できる。
【００２５】
図５に戻り参照すると、記載される要求装置の何れかからのライブビューに対する要求に応答して、サードパーティ・サービスプロバイダー・サーバ102は、要求装置により要求される特定の場所、特定の建造物、又は特定の関心点と関連した少なくとも１つのライブビューを、ライブビュー・データベース122から識別するようにプログラムされ、及び／又は設定できる（ブロック506において）。様々な態様によれば、図１を考慮して、サードパーティ・サービスプロバイダー・サーバ102は、要求される場所、建造物、及び／又は関心点（例えば、GPS座標を介して、場所の名前、建造物の名前及び／又は関心点の名前、及び／又は同様のもの）をライブビュー・サーバ104に監視／追跡することを要求しているそれらと一致するようにプログラムされ、及び／又は設定できる（ブロック508において）。ここで、様々な態様によれば、一致が存在する場合、サードパーティ・サービスプロバイダー・サーバ102は、ダイナミックハイパーリンクを作動するようにプログラムされ、及び／又は設定できる（ブロック510において、例えば、図１、ダイナミックハイパーリンク124、128又は132）。ダイナミックハイパーリンクの作動に応答して、サードパーティ・サービスプロバイダー・サーバ102は、ダイナミックハイパーリンクを介して、要求される特定の場所、特定の建造物、又は特定の関心点と関連する少なくとも１つのライブビューを要求装置に提供するようにプログラムされ、及び／又は設定できる（ブロック516において）。より詳細には、作動すると、サードパーティ・サービスプロバイダー・サーバ102は、ライブビュー・サーバ104により、そのリンクデータベース136内のダイナミックハイパーリンク（例えば、ダイナミックハイパーリンク124、128又は132）と現在関連するライブビューをストリーミング配信するために、通信ネットワーク106を介して、ライブビュー・サーバ104との通信リンクを確立する。通信リンクが確立されると、サードパーティ・サービスプロバイダー・サーバは、ライブビュー・サーバ104からストリーミング配信されているライブビューを要求装置に中継するようにプログラムされ、及び／又は設定できる（図１参照、例えば、車両108a〜108n、モバイル電話138、コンピュータ140）。様々な態様によれば、ここに記載されるように、サードパーティ・サービスプロバイダー・サーバ102は、通信ネットワーク106、無線キャリアシステム118又は142、基地局120又は144、及び車両に関連する無線テレマティック通信ユニット116を介して、ライブビュー・サーバからストリーミング配信されているライブビューを要求装置（例えば、車両108a〜108n）に中継できる。その他の態様によれば、ここに記載されるように、サードパーティ・サービスプロバイダー・サーバ102は、通信ネットワーク106、無線キャリアシステム142、及び基地局144を介して、ライブビュー・サーバからストリーミング配信されているライブビューを要求装置（例えば、モバイル電話138）に中継できる。より更なる態様によれば、ここに記載されるように、サードパーティ・サービスプロバイダー・サーバ102は、通信ネットワーク106を介して、ライブビュー・サーバからストリーミング配信されているライブビューを要求装置（例えば、コンピュータ140）に中継��きる。ここに記載されるように、幾つかの実施例によれば、ストリーミング配信されているライブビューは、要求される特定の場所、特定の建造物、及び／又は特定の関心点と関連する最新のビュー（例えば、ビデオ）を含むことができる（例えば、ライブビューが現在利用できないとき、要求される特定の場所、特定の建造物、及び／又は特定の関心点に近接する参加車両108a〜108nがない）。そのようなストリーミング配信されるライブビューは、ここに記載されるように、ライブビュー・インタフェース210上で見ることができる（図３参照）。幾つかの態様によれば、そのようなインタフェースは、モバイル電話画面146及び／又はコンピュータ画面148上で同様に表示できる（図１参照）。
【００２６】
再び図５を参照すると、上に記載されるように、サードパーティ・サービスプロバイダー・サーバ102は、要求される場所、建造物、及び／又は関心点（例えば、GPS座標を介して、場所の名前、建造物の名前及び／又は関心点の名前、及び／又は同様のもの）をライブビュー・サーバ104に監視／追跡することを要求しているそれらと一致するようにプログラムされ、及び／又は設定できる（ブロック508において）。ここで、様々な態様によれば、一致が存在しない場合、サードパーティ・サービスプロバイダー・サーバ102は、「オンデマンド」サービスが利用可能であるかどうかを決定するようにプログラムされ、及び／又は設定できる（ブロック512において）。ここで、様々な態様によれば、要求装置に関連する要求者（requestor）は、「オンデマンド」ライブビューに加入する必要がある。その他の態様によれば、サードパーティ・サービスプロバイダー・サーバ102は、今後に監視／追跡すべき場所、建造物、及び／又は関心点として、「オンデマンド」で要求を自動的に処理できる（例えば、サービスプロバイダー要求者に重要な場所、建造物、及び／又は関心点を有する監視／追跡リストを作る方法）。ここで、そのような態様において、「オンデマンド」サービスが利用可能である場合、サードパーティ・サービスプロバイダー・サーバ102は、リアルタイムでの「オンデマンド」の場所、建造物、及び／又は関心点に対するライブビューを要求するようにプログラムされ、及び／又は設定できる（ブロック514において）。利用可能な場合、サードパーティ・サービスプロバイダー・サーバ102は、上記のように、ストリーミング配信のライブビュー及び／又は最新のビュー（例えば、ビデオ）を要求装置に提供するであろう（ブロック516において）。あるいは、「オンデマンド」サービスが利用可能でない場合、サードパーティ・サービスプロバイダー・サーバ102は、要求されるライブビューが利用可能でないことの通知を提供する（例えば、ライブビュー・インタフェース210、モバイル電話画面146、コンピュータ画面148、及び／又は同様のもの）ように更にプログラムされ、及び／又は設定できる（ブロック518において）。
【００２７】
図３を考慮すると、ここに記載される様々な態様によれば、サードパーティ・サービスプロバイダー（例えば、地図プロバイダー、ナビゲーションシステム・プロバイダー、及び／又は同様のもの）は、その地図、その旗の付いた場所（例えば、310、312）、その建造物（例えば、322）、及び／又はその関心点（例えば、314、324、326）に様々なアイコン（例えば、302、304、306、308、316、318、320、及び／又は同様のもの）を追加することができる。各アイコンは、その特定の場所、その特定の建造物、及び／又はその特定の関心点において、ライブビューを要求することを簡単に選択可能である。加えて、幾つかの実施例によれば、ライブビュー・インタフェース210は、特定の場所、特定の建造物、及び／又は特定の関心点と関連するライブビューを手入力で要求するための検索ボックス328を更に含むことができる。代わりの態様（示されていない）によれば、ライブビュー・インタフェース210は、特定の場所、特定の建造物、及び／又は特定の関心点と関連するライブビューを手入力で要求するための検索ボックス（例えば、328、例えば、サービス受領者の現在の又は入力した場所に近接して表示される地図、場所、建造物、及び／又は関心点なしに）を単に含むことができる。同様に、代わりの態様によれば、そのようなアイコン及び／又は検索ボックスは、その他のインタフェース（例えば、Google STREET VIEW(R)）内に組み込むことができる。そのような態様において、要求者は、静止の、古い及び／又は期限切れの画像（例えば、STREET VIEW(R)のような）にもはや制限されない。本開示の態様は、選択／検索されると、特定の場所、特定の建造物、及び／又は特定の関心点と関連するライブビューの表示を可能にする。
【００２８】
ここに記載される様々な態様に従い、参加車両について説明する。幾つかの実施例によれば、１以上のカメラ110a〜110eを含む全ての車両108a〜108nは、参加車両である。代わりの態様によれば、各車両108a〜108nは、ライブビューの通信手段（例えば、ライブビュー・サーバへのライブビューの送信、サードパーティ・サーバからストリーミング・ライブビューの送信、及び／又は同様のもの）に登録及び／又はオプトイン（opt-in）する必要がある。
【００２９】
ここに記載される様々な態様によれば、ライブビュー・サーバ104は、同一の場所、同一の建造物、及び／又は同一の関心点をカバーする複数のライブビューを受信する（例えば、複数の車両108a〜108nから）ように更にプログラムされ、及び／又は設定できる。そのような態様によれば、ライブビュー・サーバ104は、要求装置への送信に対する最高品質のライブビューを評価して、選択するように更にプログラムされ、及び／又は設定できる（例えば、リンクデータベース136内のダイナミックリンクとの関連に対して）。様々な態様によれば、最高品質のライブビューは、車両108a〜108nに関連するデータ送信速度（例えば、最も高い）、車両108a〜108nに関連するデータパケット・エラーレート（例えば、最も低い）、及び／又はライブビュー・サーバ104に関連するビデオエディター（示されていない）により実行される画像評価（例えば、最高品質メトリック）、及び／又は同様のものに基づいて決定できる。更に、様々な態様によれば、ライブビュー・サーバ104は、ライブビューの品質が不足する場合、ライブビューを編集及び／又は処理する（例えば、ビデオエディター）ように更にプログラムされ、及び／又は設定できる。
【００３０】
本開示の代わりの態様によれば、要求装置は、特定の場所、特定の建造物、及び／又は特定の関心点に対するライブビューをライブビュー・サーバ104に直接に要求できる。そのような態様によれば、ライブビュー・サーバ104は、ここで先に記載されたものと同様の方法で、要求されたライブビュー（例えば、ここに記載されるように車両108a〜108nから取得される）を要求装置（例えば、車両108a、モバイル電話138、コンピュータ140）に直接に提供するように更にプログラムされ、及び／又は設定できる。
【００３１】
本開示の更なるその他の態様によれば、図１を参照すると、各車両108a〜108nの１以上のカメラ110a〜110eの各カメラは、それが移動するに従い、場所、建造物、及び／又は関心点のライブビューを連続的にバッファーに格納するように設定できる。様々な態様によれば、そのようなバッファーに格納された映像（footage）は時刻付け（timestamped）できる。そのような態様において、ライブビュー・サーバ104は、場所、建造物、及び／又は関心点の最新／最近のビュー（例えば、ビデオ）として、その場所、その建造物、及び／又はその関心点のこのバッファーに格納された映像を取得できる。これは、要求されたライブビューが現在利用できないとき（例えば、要求される特定の場所、特定の建造物、及び／又は特定の関心点に近接する参加車両108a〜108nがない）、特に有益となるであろう。
【００３２】
本開示の更なるその他の態様によれば、要求装置からの要求は、各車両108a〜108nの１以上のカメラ110a〜110eの特定のカメラに対する要求を含むことができる。そのような態様において、カメラ位置、カメラのタイプ、及び／又は同様のものの指示を含む追加情報が、各車両108a〜108nのコンピュータ112により記録され、各ライブビューと関連した保管のためにライブビュー・サーバ104に送信できる。
【００３３】
ここに記載されるシステムと方法は、特定の場所、特定の建造物、及び／又は特定の関心点のライブカメラビューを要求装置に提供することに適していると理解すべきである。そのようなシステムと方法は、サードパーティ・サービスプロバイダー（例えば、商業地図サービスプロバイダー、ナビゲーションシステム・サービスプロバイダー、及び／又は同様のもの）が、特定の場所、特定の建造物、及び／又は特定の関心点の１又は複数のリアルタイム・ライブビューを用いて、その現在のサービス（例えば、地図サービス、ナビゲーションサービス、及び／又は同様のもの）を補足又は置換することを可能にし、これにより、サービス受領者をしばしばイライラさせ、及び／又は失望させる静止の、古い、及び／又は期限切れの画像を回避する。
【００３４】
特定の実施例が、ここに説明され、記載されてきたが、請求項の技術事項の精神及び範囲から逸脱することなしに、様々なその他の交換及び変更がなされ得ることを理解すべきである。更に、請求項の技術事項の様々な態様がここに記載されているが、そのような態様は、組み合わせて利用する必要はない。このため、添付する請求項は、請求項の技術事項の範囲内である全てのそのような交換及び変更に及ぶように意図されている。
【００３５】
例１．ライブビュー・カメラを有する複数の車両により記録されるライブビューを要求装置に提供するためのシステムであって、
ライブビュー・データベースを含むサードパーティ・サーバと、
前記サードパーティ・サーバと通信的に接続されるライブビュー・サーバと、を含み、
前記ライブビュー・サーバは、ライブビュー・アプリケーションを含み、前記ライブビュー・アプリケーションは、前記ライブビュー・サーバにより、
前記サードパーティ・サーバから、複数の場所の各場所、複数の建造物の各建造物、又は複数の関心点の各関心点のライブビューに対する要求を受信し、
各場所、各建造物、又は各関心点に位置する複数の車両の少なくとも１つの車両を識別し、前記少なくとも１つの識別された車両のライブビュー・カメラは、それぞれ要求されたライブビューを記録し、
前記少なくとも１つの識別された車両の前記ライブビュー・カメラからそれぞれ要求されたライブビューを取得し、
前記ライブビュー・データベース内への保管のために、前記サードパーティ・サーバに、それぞれ要求されたライブビューに関連するダイナミックハイパーリンクを送信するように実行可能であり、
前記サードパーティ・サーバは、
要求装置から、特定の場所、特定の建造物、又は特定の関心点のライブビューに対する要求を受信し、
前記ライブビュー・データベースから、前記要求装置により要求される前記特定の場所、前記特定の建造物、又は前記特定の関心点と関連する少なくとも１つのライブビューを識別し、
前記ダイナミックハイパーリンクを介して、前記特定の場所、前記特定の建造物、又は前記特定の関心点と関連する前記少なくとも１つのライブビューを前記要求装置に提供する、システム。
例２．前記サードパーティ・サーバは複数のサードパーティ・サーバを含み、前記ライブビュー・サーバはリンクデータベースを含み、前記ライブビュー・アプリケーションは、前記ライブビュー・サーバにより、前記複数のサードパーティ・サーバのそれぞれに対する要求されたライブビューを前記リンクデータベース内で分離するよう更に実行可能である、例１に記載のシステム。
例３．前記要求装置は、前記複数の車両の１つの車両に関連しない、例１に記載のシステム。
例４．前記要求装置は、前記複数の車両の１つの車両を含む、例１に記載のシステム。
例５．前記ライブビュー・アプリケーションは、前記ライブビュー・サーバにより、
各場所、各建造物、又は各関心点に位置する複数の車両を識別し、前記複数の識別された車両のライブビュー・カメラは、それぞれ要求されたライブビューを記録し、
前記複数の識別された車両の各ライブビュー・カメラからそれぞれ要求されたライブビューを取得し、
前記ダイナミックハイパーリンクを介して前記サードパーティ・サーバに送信するための、前記複数の識別された車両の１つにより記録された、１つの要求されたライブビューを決定し、
前記ライブビュー・データベース内への保管のために、前記サードパーティ・サーバに、前記複数の識別された車両の１つにより記録された前記要求されたライブビューに関連する前記ダイナミックハイパーリンクを送信するよう更に実行可能である、例１に記載のシステム。
例６．前記ライブビュー・アプリケーションは、前記ライブビュー・サーバにより、前記ライブビュー・サーバと前記複数の識別された車両との間のネットワーク接続速度に基づいて、前記ダイナミックハイパーリンクを介して、前記サードパーティ・サーバに送信するための前記要求されたライブビューを決定するよう更に実行可能である、例５に記載のシステム。
例７．前記ライブビュー・アプリケーションは、前記ライブビュー・サーバにより、前記複数の識別された車両の各ライブビュー・カメラから取得されたそれぞれ要求されたライブビューに関連する品質メトリックに基づいて、前記ダイナミックハイパーリンクを介して、前記サードパーティ・サーバに送信するための前記要求されたライブビューを決定するよう更に実行可能である、例５に記載のシステム。
例８．前記ライブビュー・アプリケーションは、前記ライブビュー・サーバにより、オンデマンドで、前記複数の識別された車両の何れかの任意のライブビュー・カメラからライブビューを取得するよう更に実行可能である、例１に記載のシステム。
例９．前記特定の場所、前記特定の建造物、又は前記特定の関心点は、全地球測位システム（GPS）座標と関連し、
前記ライブビュー・アプリケーションは、前記ライブビュー・サーバにより、
前記複数の車両のそれぞれと関連するGPS受信器により提供される位置情報に基づいて、各場所、各建造物、又は各関心点に位置する前記複数の車両の前記少なくとも１つの車両を識別し、
前記位置情報を前記ダイナミックハイパーリンクに関連付けるよう更に実行可能であり、
前記サードパーティ・サーバは、前記ダイナミックハイパーリンクと関連する前記位置情報、及び前記ライブビューの要求と関連する前記GPS座標に基づいて、前記要求装置により要求される前記特定の場所、前記特定の建造物、又は前記特定の関心点と関連する前記少なくとも１つのライブビューを更に識別する、例１に記載のシステム。
例１０．前記ライブビュー・アプリケーションは、前記ライブビュー・サーバにより、各ダイナミックハイパーリンクと関連するライブビューを更新するよう更に実行可能である、例１に記載のシステム。
例１１．ライブビュー・カメラを有する複数の車両により記録されるライブビューを要求装置に提供するためのコンピュータに搭載の方法であって、
サードパーティ・サーバと通信的に接続されるライブビュー・サーバが、前記サードパーティ・サーバから、複数の場所の各場所、複数の建造物の各建造物、又は複数の関心点の各関心点のライブビューに対する要求を受信するステップと、
前記ライブビュー・サーバが、各場所、各建造物、又は各関心点に位置する複数の車両の少なくとも１つの車両を識別するステップであって、前記少なくとも１つの識別された車両のライブビュー・カメラは、それぞれ要求されたライブビューを記録する、ステップと、
前記ライブビュー・サーバが、前記少なくとも１つの識別された車両の前記ライブビュー・カメラからそれぞれ要求されたライブビューを取得するステップと、
前記ライブビュー・サーバが、前記サードパーティ・サーバのライブビュー・データベース内への保管のために、前記サードパーティ・サーバに、それぞれ要求されたライブビューに関連するダイナミックハイパーリンクを送信するステップと、
前記サードパーティ・サーバが、要求装置から、特定の場所、特定の建造物、又は特定の関心点のライブビューに対する要求を受信するステップと、
前記サードパーティ・サーバが、前記要求装置により要求される前記特定の場所、前記特定の建造物、又は前記特定の関心点と関連する少なくとも１つのライブビューを、前記ライブビュー・データベースから識別するステップと、
前記サードパーティ・サーバが、前記ダイナミックハイパーリンクを介して、前記特定の場所、前記特定の建造物、又は前記特定の関心点と関連する前記少なくとも１つのライブビューを前記要求装置に提供するステップと、
を含む、コンピュータ搭載の方法。
例１２．前記ライブビュー・サーバが、各場所、各建造物、又は各関心点に位置する複数の車両を識別するステップであって、前記複数の識別された車両のライブビュー・カメラは、それぞれ要求されたライブビューを記録する、ステップと、
前記ライブビュー・サーバが、前記複数の識別された車両の各ライブビュー・カメラからそれぞれ要求されたライブビューを取得するステップと、
前記ライブビュー・サーバが、前記ダイナミックハイパーリンクを介して前記サードパーティ・サーバに送信するための、前記複数の識別された車両の１つにより記録された、１つの要求されたライブビューを決定するステップと、
前記ライブビュー・サーバが、前記ライブビュー・データベース内への保管のために、前記サードパーティ・サーバに、前記複数の識別された車両の１つにより記録された前記要求されたライブビューに関連する前記ダイナミックハイパーリンクを送信するステップと、
を更に含む、例１１に記載のコンピュータ搭載の方法。
例１３．前記ライブビュー・サーバが、前記ライブビュー・サーバと前記複数の識別された車両との間のネットワーク接続速度に基づいて、前記ダイナミックハイパーリンクを介して、前記サードパーティ・サーバに送信するための前記要求されたライブビューを決定するステップを更に含む、例１２に記載のコンピュータ搭載の方法。
例１４．
前記ライブビュー・サーバが、前記複数の識別された車両の各ライブビュー・カメラから取得されたそれぞれ要求されたライブビューに関連する品質メトリックに基づいて、前記ダイナミックハイパーリンクを介して、前記サードパーティ・サーバに送信するための前記要求されたライブビューを決定するステップを更に含む、例１２に記載のコンピュータ搭載の方法。
例１５．前記ライブビュー・サーバが、オンデマンドで、前記複数の識別された車両の何れかの任意のライブビュー・カメラからライブビューを取得するステップを更に含む、例１１に記載のコンピュータ搭載の方法。
例１６．前記ライブビュー・サーバが、各ダイナミックハイパーリンクと関連するライブビューを更新するステップを更に含む、例１１に記載のコンピュータ搭載の方法。
例１７．ライブビュー・カメラを有する複数の車両により記録されるライブビューを要求装置に提供するためのシステムであって、
ライブビュー・データベースと通信的に接続される第１処理装置と、
前記第１処理装置と通信的に接続される第２処理装置と、を含み、
前記第２処理装置は、実行時に、
前記第１処理装置から、複数の場所の各場所、複数の建造物の各建造物、又は複数の関心点の各関心点のライブビューに対する要求を受信し、
各場所、各建造物、又は各関心点に位置する複数の車両の少なくとも１つの車両を識別し、前記少なくとも１つの識別された車両のライブビュー・カメラは、それぞれ要求されたライブビューを記録し、
前記少なくとも１つの識別された車両の前記ライブビュー・カメラからそれぞれ要求されたライブビューを取得し、
前記ライブビュー・データベース内への保管のために、前記第１処理装置に、それぞれ要求されたライブビューに関連するダイナミックハイパーリンクを送信することを第２処理装置にさせるプログラミング命令を含む非一時的プロセッサ読み取り可能記憶媒体を含み、
前記第１処理装置は、実行時に、
要求装置から、特定の場所、特定の建造物、又は特定の関心点のライブビューに対する要求を受信し、
前記ライブビュー・データベースから、前記要求装置により要求される前記特定の場所、前記特定の建造物、又は前記特定の関心点と関連する少なくとも１つのライブビューを識別し、
前記ダイナミックハイパーリンクを介して、前記特定の場所、前記特定の建造物、又は前記特定の関心点と関連する前記少なくとも１つのライブビューを前記要求装置に提供することを第１処理装置にさせるプログラミング命令を含む非一時的プロセッサ読み取り可能記憶媒体を含む、システム。
例１８．前記第１処理装置は複数のサードパーティ処理装置を含み、前記第２処理装置はリンクデータベースを含み、前記プログラミング命令は、実行時に、前記複数のサードパーティ処理装置のそれぞれに対する要求されたライブビューを前記リンクデータベース内で分離することを前記第２処理装置に更にさせる、例１７に記載のシステム。
例１９．前記要求装置は、前記複数の車両の１つの車両に関連しない、例１７に記載のシステム。
例２０．前記要求装置は、前記複数の車両の１つの車両を含む、例１７に記載のシステム。
【図１】
2020092421.tif 000003
【図２】
2020092421.tif 000004
【図３】
2020092421.tif 000005
【図４】
2020092421.tif 000006
【図５】
2020092421.tif 000007
【外国語明細書】
2020092421000001.pdf